(57)【特許請求の範囲】
【請求項１】
フィーダ本体と、前記フィーダ本体とこのフィーダ本体の上側に取り付けられるトラフとの間に設けた振動バネと、該振動バネに振動を付与することで前記トラフによって被搬送物を前方に搬送させる駆動部と、を備えた振動フィーダであって、
フィーダ本体の上面に、フィーダ本体の側方へ向けて下傾斜する傾斜部が形成されていることを特徴とする振動フィーダ。
【請求項２】
傾斜部は、フィーダ本体の上面の少なくとも一部に設けた傾斜面であることを特徴とする請求項１記載の振動フィーダ。
【請求項３】
傾斜面は、フィーダ本体の上面の中心を頂点としてフィーダ本体の両側方へ下傾斜するよう形成されていることを特徴とする請求項２記載の振動フィーダ。
【請求項４】
傾斜面は、フィーダ本体の側方へ向けて下傾斜し、且つ前後方向一方側へ向けて下傾斜していることを特徴とする請求項２または請求項３記載の振動フィーダ。
【請求項５】
傾斜面は、フィーダ本体の前後方向一方側が前後方向他方側に比べて順次急峻に形成されていることを特徴とする請求項４記載の振動フィーダ。
【発明の詳細な説明】
【技術分野】
【０００１】
本発明は、電磁フィーダなどの振動フィーダに関する。
【背景技術】
【０００２】
一般に電磁フィーダなどの振動フィーダは、フィーダ本体と、振動バネと、振動バネを振動させるための駆動部とを有する。そして駆動部の駆動により、振動フィーダに装着したトラフが振動して、被搬送物を搬送するよう構成されている。
下記特許文献１に記載の振動フィーダは、上記構成を有してしかも水洗いができるようになっている。
振動フィーダを水洗いできるようにしている理由は、一般には次の理由による。すなわち、例えば顆粒状物や粉状物などの被搬送物がトラフから飛散してフィーダ本体に舞い落ち、続いて別の種類の被搬送物を搬送しているときに、フィーダ本体に舞い落ちている被搬送物が、現在搬送している被搬送物混入しないようにするためである。
【先行技術文献】
【特許文献】
【０００３】
【特許文献１】特開平４−３５８６１７号公報
【発明の概要】
【発明が解決しようとする課題】
【０００４】
上記特許文献１に記載の振動フィーダでは、水洗いをした後の水がフィーダ本体の上面に残留し易かった。
水がフィーダ本体の上面に残留したままであると、振動フィーダの振動により、次の被搬送物に水が混入してしまうおそれがある。
また、次に搬送する被搬送物がトラフから飛散してフィーダ本体に舞い落ちると、これが残留した水に混じってフィーダ本体に付着し易くなる。そうなると、さらに続けて被搬送物を搬送しているときに、振動によってフィーダ本体に付着している被搬送物が、現在搬送している被搬送物に混入してしまうおそれがあった。
【０００５】
そこで本発明は、フィーダ本体に水が残留しにくくするもしくは残留しないようにすることで、被搬送物に異物が混入するのを防止し得る振動フィーダの提供を目的とする。
【課題を解決するための手段】
【０００６】
本発明は、フィーダ本体と、前記フィーダ本体とこのフィーダ本体の上側に取り付けられるトラフとの間に設けた振動バネと、該振動バネに振動を付与することで前記トラフによって被搬送物を前方に搬送させる駆動部と、を備えた振動フィーダであって、フィーダ本体の上面に、フィーダ本体の側方へ向けて下傾斜する傾斜部が形成されていることを特徴としている。
【０００７】
上記構成では、傾斜部によって水はけ性が向上しているから、振動フィーダを水などで洗浄すると、フィーダ本体上の洗浄水は、傾斜部からフィーダ本体の側方へ向けて排除される。
【０００８】
本発明の振動フィーダでは、傾斜部は、フィーダ本体の上面の少なくとも一部に設けた傾斜面であることを特徴としている。
上記構成によれば、フィーダ本体上の洗浄水は、傾斜面に沿ってフィーダ本体の側方に排除される。
【０００９】
本発明の振動フィーダでは、傾斜面は、フィーダ本体の上面の中心を頂点としてフィーダ本体の両側方へ下傾斜するよう形成されていることを特徴としている。
上記構成によれば、洗浄水はフィーダ本体の上面の中心から両側方へ向けて排除される。
【００１０】
本発明の振動フィーダでは、傾斜面は、フィーダ本体の側方へ向けて下傾斜し、且つ前後方向一方側へ向けて下傾斜していることを特徴としている。
上記構成によれば、洗浄水は、フィーダ本体の上面を前後方向一方側へ向けて排除されつつ側方へ向けて排除される。
【００１１】
本発明の振動フィーダでは、傾斜面は、フィーダ本体の前後方向一方側が前後方向他方側に比べて順次急峻に形成されていることを特徴としている。
上記構成のように傾斜面を順次急峻にすることで、フィーダ本体上を前後方向一方側へ排除された洗浄水は、傾斜面から効率よく排除される。
【発明の効果】
【００１２】
本発明の振動フィーダでは、フィーダ本体の上面に、フィーダ本体の側方へ向けて傾斜する傾斜部が形成されているから水はけ性が著しく良好であり、したがって振動フィーダを水などで洗浄すると、フィーダ本体上の洗浄水は傾斜部からフィーダ本体の側方へ向けて排除され、したがって被搬送物をフィーダ本体の上面に付着しにくくして、被搬送物への異物の混入を有効に防止することができる。
【図面の簡単な説明】
【００１３】
【図１】本発明の第一の実施形態を示す電磁フィーダの全体構成を示す前方からの斜視図
【図２】同じく後方側からの斜視図
【図３】同じく側面図
【図４】同じく長手方向の断面図
【図５】同じくフィーダ本体（電磁石も併せて図示している）の前方からの斜視図
【図６】同じくフィーダ本体の後方からの斜視図
【図７】同じく側面図
【図８】同じく図７におけるＡ−Ａ矢視断面図
【図９】同じく図７におけるＢ−Ｂ矢視断面図
【図１０】同じく図７におけるＣ−Ｃ矢視断面図
【図１１】同じく図７におけるＤ−Ｄ矢視断面図
【図１２】同じく図７におけるＥ−Ｅ矢視断面図
【図１３】同じく図７におけるＦ−Ｆ矢視断面図
【図１４】本発明の第二の実施形態を示す、振動フィーダのフィーダ本体の前方からの斜視図
【図１５】同じく振動フィーダの後方からの斜視図
【図１６】同じくフィーダ本体の長手方向の断面図
【図１７】同じくフィーダ本体の側面図
【図１８】同じく図１７におけるＡ１−Ａ１矢視断面図
【図１９】同じく図１７におけるＢ１−Ｂ１矢視断面図
【図２０】同じく図１７におけるＣ１−Ｃ１矢視断面図
【図２１】同じく図１７におけるＤ１−Ｄ１矢視断面図
【図２２】同じく図１７におけるＥ１−Ｅ１矢視断面図
【図２３】同じく図１７におけるＦ１−Ｆ１矢視断面図
【図２４】本発明の第三の実施形態を示す、振動フィーダのフィーダ本体の前方からの斜視図
【図２５】同じく振動フィーダの後方からの斜視図
【図２６】同じくフィーダ本体の長手方向の断面図
【図２７】同じくフィーダ本体の側面図
【図２８】同じくＡ２−Ａ２矢視断面図
【図２９】同じく図２７におけるＢ２−Ｂ２矢視断面図
【図３０】同じく図２７におけるＣ２−Ｃ２矢視断面図
【図３１】同じく図２７におけるＤ２−Ｄ２矢視断面図
【図３２】同じく図２７におけるＥ２−Ｅ２矢視断面図
【図３３】同じく図２７におけるＦ２−Ｆ２矢視断面図
【図３４】本発明の別の実施形態の要部を示す幅方向断面図
【図３５】本発明のさらに別の実施形態の要部を示す幅方向断面図
【図３６】本発明のさらに別の実施形態の要部を示す幅方向断面図
【図３７】図３４ないし図３６の実施形態に適応したフィーダ本体の形状を示す側面図
【図３８】同じく別のフィーダ本体の形状を示す側面図
【発明を実施するための形態】
【００１４】
以下、本発明に係る振動フィーダ（電磁フィーダ）を図面に基づいて説明する。まず、図１ないし図１２に基づいて、本発明の第一の実施形態を説明する。
図１は本発明の第一の実施形態を示す振動フィーダの全体構成を示す前方からの斜視図、図２は同じく後方側からの斜視図、図３は同じく側面図、図４は同じく長手方向の断面図である。
【００１５】
また、図５はフィーダ本体（電磁石も併せて図示している）の前方からの斜視図、図６は同じくフィーダ本体の後方からの斜視図、図７は同じく側面図、図８ないし図１０はそれぞれ第一取付部における幅方向の断面図、図１１ないし図１３は第二取付部における幅方向の断面図である。図８ないし図１０は、それぞれ図７におけるＡ−Ａ、Ｂ−Ｂ、Ｃ−Ｃ矢視断面図、図１１ないし図１３は、それぞれ図７におけるＤ−Ｄ、Ｅ−Ｅ、Ｆ−Ｆ矢視断面図である。
【００１６】
振動フィーダ１は、フィーダ本体１１と、フィーダ本体１１に支持される振動バネ、すなわち第一板バネ１２および第二板バネ１３と、第一板バネ１２および第二板バネ１３の上端部に支持されるアタッチメント式トラフ取付用の取付部材１４と、取付部材１４に固定された被吸着部材１５（図３参照）を吸着するための電磁石１６と、電磁石１６を介してトラフ１７の振動状態を制御するためのコントローラ（図示せず）とを有する。この電磁石１６およびコントローラはトラフ１７に振動を付与する駆動部である。
【００１７】
フィーダ本体１１の構成を説明する。
この場合、フィーダ本体１１はカウンターウエイトである。これは、ステンレス製の金属からなり、鋳造により形成されている。フィーダ本体１１の本体底面１１０は面一の平面に形成されて、四隅に防振バネ１１１が配置されている。
フィーダ本体１１は、その前部に配置された板バネ取付部１１２と、後部に配置された電磁石装着部１１３とからなり、全体として平面視して長手方向（以下「前後方向」という）と短手方向（以下「幅方向」という）を有する略矩形に形成されている。
【００１８】
電磁石装着部１１３と板バネ取付部１１２とを幅方向長さで比較すると、電磁石装着部１１３は板バネ取付部１１２よりも幅方向がわずかに長く形成されている。これにより、電磁石装着部１１３の前端部における左右両側下部には、板バネ取付部１１２（後述の第一取付部１１２１）の後端部から左右方向に拡大する段付面１１２ａ，１１２ａが形成されている（図５参照）。
電磁石装着部１１３と板バネ取付部１１２とを高さで比較すると、板バネ取付部１１２に比べて電磁石装着部１１３の方が高く形成されている。
【００１９】
ここで電磁石装着部１１３の構成について、さらに詳細に説明する。電磁石装着部１１３は、全体形状として、立方体形状の塊の上面を後方に向けて下傾斜するよう切欠き、前面を前方に向けて下傾斜するよう切欠いた形状に形成されている。
電磁石装着部１１３の傾斜した装着部前面１１３ａの中心には、電磁石１６を装着するための装着凹部１１３１が、装着部前面１１３ａに直交する方向で斜め後方に穿たれたように形成されている。
【００２０】
この装着凹部１１３１には電磁石１６がモールドされた状態で内装支持されている。また、電磁石装着部１１３には、電磁石１６とコントローラとを電気的に接続するリード線（図示せず）を挿通させるための挿通孔１１３２が形成されている（図４参照）。
電磁石装着部１１３の装着部上面１１３ｂと装着部側面１１３ｃとの連続部である隅部ｗ１，ｗ１は、曲面形状に面取りされている。電磁石装着部１１３の装着部上面１１３ｂと装着部背面１１３ｄとの連続面である隅部ｗ２は、曲面形状に面取りされている。
【００２１】
板バネ取付部１１２の構成について、さらに詳細に説明する。なお、この実施形態では、第一板バネ１２は板バネ取付部１１２の前後方向途中部分に配置され、第二板バネ１３は板バネ取付部１１２の前端部分に配置されている。
【００２２】
板バネ取付部１１２は、互いに前後方向で連続した第一板バネ用の第一取付部１１２１および、第二板バネ用の第二取付部１１２２を有する。
第一取付部１１２１は第一上面１１２１ａ、幅方向両側の第一側面１１２１ｂ、および第一板バネ用の第一取付面１１２１ｃを有する。
第二取付部１１２２は第二上面１１２２ａ、幅方向両側の第二側面１１２２ｂ、および第二板バネ用の第二取付面１１２２ｃを有する。第一上面１１２１ａは、第二上面１１２２ａに比べて相対的に高い位置にある。
【００２３】
第一取付部１１２１および第二取付部１１２２の、第一取付面１１２１ｃおよび第二取付面１１２２ｃは、ともに装着部前面１１３ａに沿う方向（装着部前面１１３ａに平行）に傾斜して形成されている。また、第一取付面１１２１ｃおよび第二取付面１１２２ｃには、後述の下側取付ボルト１１２３が挿入される孔が形成されている。
なお、板バネ取付部１１２の両側面は平行である。換言すれば、第一取付部１１２１および第二取付部１１２２の両第一側面１１２１ｂおよび両第二側面１１２２ｂは、それぞれ互いに平行で、前後方向に沿う平面に形成されている。
【００２４】
第一取付部１１２１の第一上面１１２１ａは、第一取付面１１２１ｃの上端部から装着部前面１１３ａの間に形成されている。すなわち第一取付面１１２１ｃと装着部前面１１３ａとは、前後方向に第一の所定距離Ｌ１だけ離間した位置にある（図４参照）。
第一上面１１２１ａは、前方から後方に向けて下傾斜する傾斜面に形成されている。しかもこの傾斜面は、幅方向中心よりも幅方向端部側が下方に位置するよう湾曲した湾曲面に形成されている。第一の実施形態における傾斜部は、第一取付部１１２１においては、第一上面１１２１ａ全体である。
【００２５】
さらに湾曲面である第一上面１１２１ａの曲率は、後方側すなわち電磁石装着部１１３側ほど大きく（急峻に）なるよう形成されている。このような、前後方向での曲率の相違は、図８ないし図１０に示している。
第一上面１１２１ａと装着部前面１１３ａとの連続面である隅部ｗ３には面取りが施されて湾曲面に形成されている。
第一上面１１２１ａと両第一側面１１２１ｂとの連続面である隅部ｗ４，ｗ４には面取りが施されて湾曲面に形成されている。
【００２６】
第二取付部１１２２の第二上面１１２２ａは、第二取付面１１２２ｃの上端部から第一取付面１１２１ｃの間に形成されている。すなわち第二取付面１１２２ｃと第一取付面１１２１ｃとは、前後方向に第二の所定距離Ｌ２だけ離間した位置にあるよう関係付けられている。この第二の所定距離Ｌ２は第一の所定距離Ｌ１に比べて長く設定されている。
【００２７】
第二上面１１２２ａは、前方から後方に向けて下傾斜する傾斜面に形成されている。しかもこの傾斜面は、幅方向中心よりも幅方向端部側が下方に位置するよう湾曲した湾曲面に形成されている。
第一の実施形態における傾斜部は、第二取付部１１２２においては、第二上面１１２２ａ全体である。
【００２８】
さらに湾曲面である第二上面１１２２ａの曲率は、後方側すなわち第一取付部１１２１側ほど大きく（急峻に）なるよう形成されている。このような、前後方向での曲率の相違は、図１１ないし図１３に示している。第二の所定距離Ｌ２が第一の所定距離Ｌ１に比べて長い分だけ第二上面１１２２ａにおける後側部の曲率は第一上面１１２１ａにおける後側部の曲率に比べて大きくなっている。
【００２９】
第二上面１１２２ａと第一取付面１１２１ｃとの連続面である隅部ｗ５には面取りが施されて湾曲面に形成されている。
第二上面１１２２ａと両第二側面１１２２ｂとの連続面である隅部ｗ６，ｗ６には面取りが施されて湾曲面に形成されている。
【００３０】
なお、第一取付面１１２１ｃは、第一上面１１２１ａと第二上面１１２２ａとの連続面から、第一板バネ１２の厚み分ほど後退した位置に配置されている。第二取付面１１２２ｃは、板バネ取付部１１２の取付部前面１１２ｂから第二板バネ１３の厚み分ほど後退した位置に配置されている。
この取付部前面１１２ｂは第二取付面１１２２ｃと同方向に傾斜している。取付部前面１１２ｂと両第二側面１１２１ｂとの連続面である隅部ｗ７，ｗ７には面取りが施されて湾曲面に形成されている。
【００３１】
第一板バネ１２および第二板バネ１３の幅は、板バネ取付部１１２の幅に等しく設定されている。第一板バネ１２および第二板バネ１３の下端部が、それぞれ第一取付面１１２１ｃ、第二取付面１１２２ｃに下側取付ボルト１１２３を介して圧着するよう固定されている。
第一板バネ１２および第二板バネ１３は等しい高さに設定されており、その上端部には、トラフ１７をその下面１７１で支持する前記取付部材１４が前後方向に渡されている。
【００３２】
取付部材１４はトラフ１７が載置される載置板１４１と、この載置板１４１の下面から斜め前方に下傾斜する後側の第一取付片１４２および前側の第二取付片１４３とを有する。この第一取付片１４２、第二取付片１４３の前面に、それぞれ第一板バネ１２、第二板バネ１３の上端部が、上側取付ボルト１１２４を介して圧着するよう固定されている。
【００３３】
第一取付片１４２および第二取付片１４３は、載置板１４１の下面に対してそれぞれ第一板バネ１２および第二板バネ１３と同様の傾斜角度をもって一体的に形成されている。第一取付片１４２は載置板１４１の前後方向途中に配置され、第二取付片１４３は載置板１４１の前端部に配置されている。
【００３４】
載置板１４１は、第一板バネ１２に上下方向で対応する部分からさらに後方に水平に延長された延長部１４１１を有する。延長部１４１１の後端部は下方に折曲されて、第一取付片１４２および第二取付片１４３と平行な支持壁部１４１２が形成されている。
この支持壁部１４１２は、その後面１４１２ａに被吸着部材１５を支持固定するものである。
【００３５】
支持壁部１４１２は、電磁石装着部１１３の装着部前面１１３ａに対して所定の前後方向長さの間隔Ｌ３を置いて前後方向で対向するよう配置されている。
また、支持壁部１４１２の上下方向長さは、第二取付片１４３の上下方向長さに比べて長く形成されている。これらの構成は、支持壁部１４１２の後面１４１２ａに被吸着部材１５を支持するためであり、被吸着部材１５を支持壁部１４１２と装着部前面１１３ａとの間に介装させる構成を採用している故である。
【００３６】
さらに、第一取付片１４２と支持壁部１４１２との間に渡して、補強用リブ１４４が一体的に形成されている。補強用リブ１４４は側面視して、後側辺が前側辺に対して長い台形形状に形成されている。
すなわち前記第一の所定距離Ｌ１は、第一取付片１４２、補強用リブ１４４、支持壁部１４１２、被吸着部材１５、および間隔Ｌ３が含まれる距離として特定される。
【００３７】
上記構成の振動フィーダ１では、電磁石１６を駆動して、被吸着部材１５を電磁石１６に対して吸着・離反することにより、取付部材１４が前後方向に振動して取付部材１４が第一板バネ１２および第二板バネ１３とともに前後方向に振動し、取付部材１４に固定されているトラフ１７が前後方向に振動してトラフ１７上の被搬送物を搬送方向、すなわち前方に向けて搬送する。
【００３８】
ところで、振動フィーダ１では被搬送物を搬送するとその振動にともなって被搬送物（例えば顆粒状物）が舞い上がってフィーダ本体１１上に落下する場合がある。以下、フィーダ本体１１上に落下した被搬送物を落下搬送物と呼ぶことにする。
この落下搬送物がフィーダ本体１１上に付着した状態で次に被搬送物を搬送すると、今度はフィーダ本体１１上の落下搬送物が振動フィーダの振動によってトラフ１７上に舞い上がり、トラフ１７上の被搬送物に異物として混入してしまう。このため、振動フィーダ１を定期的、あるいは不定期的に洗浄する必要がある。
【００３９】
装着凹部１１３１には電磁石１６がモールドされた状態で内装支持されており、フィーダ本体１１はステンレス製金属の一体物として形成されているから、振動フィーダ１を水洗いしても支障はない。
そしてフィーダ本体１１の第一上面１１２１ａは、前方から後方に向けて下傾斜する傾斜面に形成されている。しかもこの傾斜面は、幅方向においては、幅方向中心よりも幅方向端部側が下方に位置するよう湾曲した湾曲面に形成されている。さらに第一上面１１２１ａの曲率は、後方側ほど大きくなるよう形成されている。
【００４０】
第二上面１１２２ａは、前方から後方に向けて下傾斜する傾斜面に形成されている。しかもこの傾斜面は、幅方向においては、幅方向中心よりも幅方向端部側が下方に位置するよう湾曲した湾曲面に形成されている。さらに第二上面１１２２ａの曲率は、後方側ほど大きくなるよう形成されている。
【００４１】
この構成により、振動フィーダ１のフィーダ本体１１上にある洗浄後の洗浄水は、第一上面１１２１ａおよび第二上面１１２２ａを、後方に、また側方に向けて排除される。第一上面１１２１ａおよび第二上面１１２２ａは後方に向けて下傾斜させている。このため洗浄水が後方へ向けて案内されると、第一上面１１２１ａおよび第二上面１１２２ａそれぞれの後方側に洗浄水が多く排除される。
【００４２】
しかしながら、第一上面１１２１ａおよび第二上面１１２２ａは、それぞれ幅方向において前方側の曲率に比べて後方側の曲率が大きくなっている。このため、第一上面１１２１ａおよび第二上面１１２２ａそれぞれの後方側に洗浄水が多く排除されても、その洗浄水を円滑に排除することができる。
【００４３】
また、板バネ取付部１１２の隅部ｗ４，ｗ６は曲面となるよう面取りされている。この、板バネ取付部１１２の隅部ｗ４，ｗ６によって、洗浄水は、第一取付部１１２１では第一側面１１２１ｂに、第二取付部１１２２では第二側面１１２２ｂに向けて円滑に排除される。
また、電磁石装着部１１３の前端部における左右両側下部には、第一取付部１１２１の後端部から左右方向に拡大する段付面１１２ａ，１１２ａが形成されているから、第一上面１１２１ａから後方に排除された洗浄水の一部は、段付面１１２ａ，１１２ａに沿って円滑に落下排除される。
【００４４】
電磁石装着部１１３においては、立方体形状の塊の上面を後方に向けて下傾斜するよう切欠き、前面を前方に向けて下傾斜するよう切欠いた形状となっている。このため、電磁石装着部１１３においては、振動フィーダ１を水洗いした後の洗浄水の一部が装着部上面１１３ｂから後方へ排除され易い。
【００４５】
また、電磁石装着部１１３の装着部上面１１３ｂと装着部側面１１３ｃとの連続部である隅部ｗ１，ｗ１は曲面形状に面取りされ、電磁石装着部１１３の装着部上面１１３ｂと装着部背面１１３ｄとの連続面である隅部ｗ２は曲面形状に面取りされている。このため、洗浄水の一部は、装着部上面１１３ｂから装着部背面１１３ｄあるいは装着部側面１１３ｃに円滑に排除される。
【００４６】
上記のようにして、洗浄水はフィーダ本体１１上から排除されるから、フィーダ本体１１上に洗浄水が残りにくい。このため落下搬送物がフィーダ本体１１の上面や側面等の表面に付着しにくくなる。そうなると、次に被搬送物を搬送する際に、落下搬送物が被搬送物に、異物として混入するのを防止することができる。
【００４７】
第一取付面１１２１ｃと装着部前面１１３ａとは、前後方向に第一の所定距離Ｌ１だけ離間した位置にある。すなわち第一の所定距離Ｌ１は、第一取付片１４２、補強用リブ１４４、支持壁部１４１２、被吸着部材１５、および間隔Ｌ３が含まれる距離として特定されている。要するに第一上面１１２１ａの前後方向長さは、第一取付面１１２１ｃと装着部前面１１３ａとの間に、作業者の手や指を挿入するのに充分な長さがあり、またその上方にも作業者の手や指を挿入するのに充分なスペースが確保されている。
【００４８】
したがって、第一取付面１１２１ｃの上側に補強用リブ１４４、支持壁部１４１２、被吸着部材１５があったとしても、作業者は、第一取付面１１２１ｃと装着部前面１１３ａとの間に手や指を挿入して、補強用リブ１４４、支持壁部１４１２、被吸着部材１５が上方にあって洗浄しにくい第一取付面１１２１ｃの汚れを、容易に拭うこともできる。
【００４９】
次に、図１４ないし図２３に基づいて第二の実施形態を説明する。なお、この第二の実施形態においては第一の実施形態と異なる部分のみ、異なる符号を付して説明する。
図１４は、本発明の第二の実施形態を示す、振動フィーダ１のフィーダ本体１１の前方からの斜視図、図１５は振動フィーダ１の後方からの斜視図、図１６はフィーダ本体１１の長手方向の断面図、図１７はフィーダ本体１１の側面図、図１８ないし図２０はそれぞれ第一取付部における幅方向の断面図、図２１ないし図２３は第二取付部における幅方向の断面図である。
【００５０】
図１８ないし図２０は、それぞれ図１７におけるＡ１−Ａ１、Ｂ１−Ｂ１、Ｃ１−Ｃ１矢視断面図、図２１ないし図２３は、それぞれ図１７におけるＤ１−Ｄ１、Ｅ１−Ｅ１、Ｆ１−Ｆ１矢視断面図である。
第二の実施形態において、第一の実施形態と異なる構成は、フィーダ本体１１における第一取付部１１４１および第二取付部１１４２の断面形状、すなわち第一取付部１１４１および第二取付部１１４２の上面の形状である。
【００５１】
ここで、第一取付部１１４１の第一上面１１４１a、および第二取付部１１４２の第二上面１１４２aの形状について説明する。
第二の実施形態における第一上面１１４１a、および第二上面１１４２aは、何れの形状もフィーダ本体１１の上面の幅方向中心を頂点１１５１，１１５２としてフィーダ本体１１の両側方へ、直線的に下傾斜するよう形成されている。つまり、第一上面１１４１aおよび第二上面１１４２aは、幅方向中心を頂点１１５１，１１５２としてフィーダ本体１１の両側方へ向けて下傾斜する平面に形成されている。
【００５２】
また、第一上面１１４１aおよび第二上面１１４２aは後方へ向けて下傾斜しており、第一上面１１４１aおよび第二上面１１４２aの幅方向中心（頂点１１５１，１１５２）は、前後方向にはわずかに下方に向けて湾曲するよう形成されている（図１６参照）。なお、第一上面１１４１aは第二上面１１４２aに比べて相対的に高い位置にある。
【００５３】
また、第一取付部１１４１、第二取付部１１４２、および電磁石装着部１１３の幅は等しく形成されている（第一の実施形態における段付面１１２ａ，１１２ａを有しない）。
他の構成は上記第一の実施形態と同様であるので、同一の符号を付してその説明を省略する。
【００５４】
本発明の第二の実施形態によれば、第一上面１１４１aおよび第二上面１１４２aは後方へ向けて下傾斜し、しかも両側へ向けて下傾斜しているから、洗浄後にフィーダ本体１１上に残った洗浄水は、第一上面１１４１aおよび第二上面１１４２aの傾斜に沿って、フィーダ本体１１の両側方へ円滑に排除される。他の作用効果は上記第一の実施形態と同様である。
【００５５】
次に、図２４ないし図３３に基づいて、本発明の第三の実施形態を説明する。なお、この第三の実施形態においては第一の実施形態と異なる部分のみ、異なる符号を付して説明する。
図２４は、本発明の第三の実施形態を示す、振動フィーダ１のフィーダ本体１１の前方からの斜視図、図２５は振動フィーダ１の後方からの斜視図、図２６はフィーダ本体１１の長手方向の断面図、図２７はフィーダ本体１１の側面図、図２８ないし図３０はそれぞれ第一取付部における幅方向の断面図、図３１ないし図３３は第二取付部における幅方向の断面図である。
【００５６】
第三の実施形態において、第一の実施形態と異なる構成は、フィーダ本体１１における第一取付部１１２１および第二取付部１１２２の断面形状、すなわち第一取付部１１２１および第二取付部１１２２の上面の形状である。
【００５７】
ここで、第一取付部１１２１の第一上面１１８１、および第二取付部１１２２の第二上面１１９１の形状について説明する。
第一上面１１８１は、その一部が両側方に向けて下傾斜した形状の第一側方傾斜面１１８１ａとされ、残りの部分は後方にのみ下傾斜した第一下傾斜面１１８１ｂとされている。第二上面１１９１は、その一部が両側方に向けて下傾斜した形状の第二側方傾斜面１１９１ａとされ、残りの部分は後方にのみ下傾斜した第二下傾斜面１１９１ｂとされている。第三の実施形態においては、傾斜部は第一側方傾斜面１１８１ａおよび第二側方傾斜面１１９１ａである。
【００５８】
第一側方傾斜面１１８１aは、幅方向中心を頂点Ｐ１として幅方向両側に傾斜した平面である。頂点Ｐ１は第一上面１１８１の前後方向両端部に亘っている。第一側方傾斜面１１８１aの第一前端辺１１８１ｃは、平面視して、頂点Ｐ１の前端から側方に至るにしたがって後方へ傾斜している。この第一前端辺１１８１ｃの前側が第一下傾斜面１１８１ｂである。
このような第一上面１１８１の形状の変化は、図２８ないし図３０に示している。図２８ないし図３０は、それぞれ図２７におけるＡ２−Ａ２、Ｂ２−Ｂ２、Ｃ２−Ｃ２矢視断面図である。
【００５９】
第二側方傾斜面１１９１aは、幅方向中心を頂点Ｐ２として幅方向両側に傾斜した平面である。第二上面１１９１の頂点Ｐ２は第二上面１１９１の後端から前後方向途中まで亘っている。第二側方傾斜面１１９１aの第二前端辺１１９１ｃは、平面視して、頂点Ｐ２の前端から側方に至るにしたがって後方へ傾斜している。この第二前端辺１１９１ｃの前側が第二下傾斜面１１９１ｂである。
このような第二上面１１９１の形状の変化は、図３１ないし図３３に示している。図３１ないし図３３は、それぞれ図２７におけるＤ２−Ｄ２、Ｅ２−Ｅ２、Ｆ２−Ｆ２矢視断面図である。
他の構成は上記第一の実施形態と同様であるので、同一の符号を付してその説明を省略する。
【００６０】
上記構成において、第一取付部１１２１の第一上面１１８１において洗浄後の洗浄水は、第一側方傾斜面１１８１ａから側方に向けて排除され、また、第一下傾斜面１１８１ｂから後方に向けて排除されて第一側方傾斜面１１８１ａから側方に向けて排除される。
【００６１】
第二取付部１１２２の第二上面１１９１において、洗浄水は、第二側方傾斜面１１９１ａから側方に向けて排除され、また、第二下傾斜面１１９１ｂから後方に向けて排除されて第二側方傾斜面１１９１ａから側方に向けて排除される。他の作用効果は上記第一の実施形態と同様である。
【００６２】
図３４ないし図３８に、さらに別の実施形態を示す。図３４および図３５はそれぞれ別の実施形態であるが、何れもフィーダ本体の板バネ取付部の第一上面および第二上面に、平面視して筋状となる排除用溝、あるいは凹条部を形成している。
【００６３】
図３４の場合では、フィーダ本体１１の上面（第一上面および第二上面）を後方へ傾斜させ、該上面に断面Ｖ字形状とした同じ深さの排除用溝１１２０ａを複数条、幅方向に離間して配置形成している。
図３５の場合では、フィーダ本体１１の上面（第一上面および第二上面）を、幅方向中心を頂点としてその両側を側方に向けて下傾斜させ、且つ上面を後方へ向けて下傾斜させ、上面に断面Ｖ字形状とした同じ深さの排除用溝１１２０ｂを複数条、幅方向に離間して配置形成している。
【００６４】
図３６の場合では、フィーダ本体１１の上面（第一上面および第二上面）の幅方向中心に下方へ凸となる凹湾曲面１１２０ｃを前後方向に亘って形成し、凹湾曲面１１２０ｃの両側に、上方へ向けて凸となる凸湾曲面１１２０ｄを連続して形成している。そしてフィーダ本体の上面は後方へ向けて下傾斜させている。
【００６５】
図３４ないし図３６に示した実施形態では、洗浄水をフィーダ本体１１の側方へ排除する傾斜部として、図３７あるいは図３８に示すように、排除用溝１１２０ａ，１１２０ｂに連続する傾斜溝１１２０ｅを、上面の幅方向に沿って、その側方部が下傾斜するよう形成している。図３７では、傾斜溝１１２０ｅは第一上面、第二上面のそれぞれの後部に、幅方向に沿って一箇所形成している。図３８では、傾斜溝１１２０ｅは第一上面、第二上面のそれぞれの前後方向途中部分に、幅方向に沿って二箇所形成している。
【００６６】
あるいは図３４および図３５で示した実施形態では、排除用溝１１２０ａ，１１２０ｂの後方側端部をフィーダ本体１１の側方に向くように形成することで、傾斜部としてもよい。他の構成は、上記第一の実施形態と同様であるので、同一の符号を付してその説明を省略する。
【００６７】
図３４および図３５に示した実施形態では、洗浄後の洗浄水は、それぞれ排除用溝１１２０ａ，１１２０ｂに案内されて傾斜部によってフィーダ本体１１の側方に排除される。図３６に示す実施形態では、洗浄後の洗浄水は、凹湾曲面１１２０ｃに案内され、また凸湾曲面１１２０ｄ（傾斜部でもある）に案内されて傾斜部によってフィーダ本体１１の側方に排除される。他の作用効果は上記第一の実施形態と同様である。
【００６８】
本発明は上記実施形態に限定されるものではなく、その他、各部の具体的構成についても上記実施形態に限られるものではなく、本発明の主旨を逸脱しない範囲で種々変形が可能である。
【００６９】
例えば、上記各実施形態では、フィーダ本体の上面は、幅方向中心を頂点として側方が下傾斜するよう左右対称の形状の傾斜部を設けた。しかしながら、フィーダ本体の頂点を幅方向中心から一方の側方へ位置ずれさせ、その頂点から上面を各側方へ向けて下傾斜させるよう構成してもよい。この場合も、洗浄後の洗浄水を円滑に側方へ排除することができる。
【００７０】
上記各実施形態では、第一取付部の前後方向長さに比べて第二取付部の前後長さを長く設定している。しかしながら、第一取付部の前後方向長さと第二取付部の前後方向長さを同等にしたり、第一取付部の前後方向長さを第二取付部の前後長さに比べて長く設定したりすることも可能である。
【００７１】
上記各実施形態では、板バネを前後二箇所に配置することで、フィーダ本体を第一取付部と第二取付部から構成した。しかしながら、さらに板バネを前方に配置する構成として、板バネの数に応じて取付部を増加させるよう構成することも可能である。この場合も各取付部の上面には傾斜部を設けることで、洗浄後の洗浄水を側方に排除することができる。
【００７２】
また、上記各実施形態では、フィーダ本体のうち、板バネ取付部のみにフィーダ本体の側方へ向けて下傾斜する傾斜部を設けた構成としている。しかしながら本発明はこれに限定されるものではなく、板バネ取付部に傾斜部を設けることに加えて、電磁石装着部の上面に、その側方へ向けて下傾斜する傾斜部を設けた構成としてもよい。この傾斜部は、電磁石装着部の上面を側方に傾斜させた面として構成してもよいし、溝状のものであってもよい。
この場合では、板バネ取付部のみならず電磁石装着部においても、その側方への洗浄水の排除を促進することができる。
【００７３】
また、上記各実施形態では、全ての取付部の上面に傾斜部をそれぞれ設ける構成としているが、本発明はこれに限定されるものではなく、一部の取付部の上面に傾斜部を設ける構成としてもよい。例えば、第一取付部と第二取付部のうち、第一取付部の第一上面に傾斜部を設け、第二取付部の第二上面に傾斜部を設けないように構成することもできる。
【符号の説明】
【００７４】
１…振動フィーダ、１１…フィーダ本体、１２…第一板バネ、１３…第二板バネ、１１２…板バネ取付部、１１２１…第一取付部、１１２１ａ…第一上面、１２２２…第一取付部、１１２２ａ…第二上面
【図１】
0005424102.tif 000002
【図２】
0005424102.tif 000003
【図３】
0005424102.tif 000004
【図４】
0005424102.tif 000005
【図５】
0005424102.tif 000006
【図６】
0005424102.tif 000007
【図７】
0005424102.tif 000008
【図８】
0005424102.tif 000009
【図９】
0005424102.tif 000010
【図１０】
0005424102.tif 000011
【図１１】
0005424102.tif 000012
【図１２】
0005424102.tif 000013
【図１３】
0005424102.tif 000014
【図１４】
0005424102.tif 000015
【図１５】
0005424102.tif 000016
【図１６】
0005424102.tif 000017
【図１７】
0005424102.tif 000018
【図１８】
0005424102.tif 000019
【図１９】
0005424102.tif 000020
【図２０】
0005424102.tif 000021
【図２１】
0005424102.tif 000022
【図２２】
0005424102.tif 000023
【図２３】
0005424102.tif 000024
【図２４】
0005424102.tif 000025
【図２５】
0005424102.tif 000026
【図２６】
0005424102.tif 000027
【図２７】
0005424102.tif 000028
【図２８】
0005424102.tif 000029
【図２９】
0005424102.tif 000030
【図３０】
0005424102.tif 000031
【図３１】
0005424102.tif 000032
【図３２】
0005424102.tif 000033
【図３３】
0005424102.tif 000034
【図３４】
0005424102.tif 000035
【図３５】
0005424102.tif 000036
【図３６】
0005424102.tif 000037
【図３７】
0005424102.tif 000038
【図３８】
0005424102.tif 000039